(57)【要約】【課題】      釣り人が浮子の姿勢を容易に変えることができる浮子を提供することである。【解決手段】  浮子１は、合成樹脂等の外殻体からなり、内部に中空部２ａが形成された浮子本体２とこの中空部２ａ内に設けた浮子１の上下方向に延びる軸３に回動可能にその一端側が支持された重り７を有し、この重り７は、軸３が孔７ａに挿通されて軸３を中心に軸３の周囲を回動するように遊嵌されて取り付けられている。  浮子１は、中空部２ａ内の下側に取り付けたバランス重り６を下側にした姿勢で水に浮くように形成され、浮子１を傾ける釣り人の操作で重り７が回動するようになっている。【選択図】        図１
2009159866.tif 000002
【特許請求の範囲】
【請求項１】
浮子本体に形成した中空部に上下方向に延びる軸を設け、前記軸に回動可能に重りの一端側を支持したことを特徴とする浮子。
【請求項２】
軸は浮子本体を貫通する釣り糸挿通孔を有していることを特徴とする請求項１に記載の浮子。
【発明の詳細な説明】
【技術分野】
【０００１】
本発明は、魚釣りに使用される浮子に関する。
【背景技術】
【０００２】
釣りをしていると風や水の流れの影響で仕掛けが流されて浮子による当たりが取りにくいときがあり、このようなとき釣り人は流されていく仕掛けの方向に応じて釣り糸を引いて仕掛けが延びる方向や浮子の向きを当たりが取りやすいように調節することがあるが、このような操作は熟練が必要であった。
また、従来特許文献１のように、内部に球状転子を内蔵した浮子が記載されている。
この浮子は、内蔵した球状転子が移動して浮子の姿勢を変えることで取り付けた餌の有無を知ることができるようになっている。
しかし、釣り人による操作で浮子の姿勢を変えることが出来ないため、釣り場の状況に応じて浮子の姿勢を釣り人にとって都合の良い当たりが取りやすい状態にすることができなかった。
【特許文献１】実開昭５８−２９２７６号公報
【発明の開示】
【発明が解決しようとする課題】
【０００３】
解決しようとする問題点は、内部に球状転子を内蔵した浮子では、釣り人による操作で浮子の姿勢を変えることができないことである。
【０００４】
本発明の目的は前記欠点に鑑み、釣り人が仕掛けを引いて浮子の姿勢を容易に変えることができる浮子を提供することである。
【課題を解決するための手段】
【０００５】
本発明の請求項１は、浮子本体に形成した中空部に上下方向に延びる軸を設け、前記軸に回動可能に重りの一端側を支持したことを要旨とするものである。
本発明の請求項２は、軸は浮子本体を貫通する釣り糸挿通孔を有していることを要旨とするものである。
【発明の効果】
【０００６】
本発明により、釣り人による操作で浮子本体内の重りを回動することで浮子の姿勢を容易に変えることができる。
【発明を実施するための最良の形態】
【０００７】
以下、図示の実施例によって本発明を説明すると、図１は浮子の縦断面図、図２は浮子の横断面図、図３は浮子の使用状態を示す縦断面図である。
【０００８】
本願の浮子１は、合成樹脂等の外殻体からなり、内部に中空部２ａが形成された浮子本体２とこの中空部２ａ内に設けた浮子１の上下方向に延びる軸３に回動可能にその一端側が支持された重り７を有している。
浮子本体２は、卵形状に形成され、中空部２ａ内の下側にバランス重り６が取り付けられ、バランス重り６を下側にした姿勢で水に浮くように形成されている。
なお、バランス重り６の重量を重くすることで、水に沈む水中浮子として使用することもでき、この時もバランス重り６を下側にした姿勢を維持して沈むようになっている。
【０００９】
浮子本体２の中空部２ａには、軸３が浮子本体２およびバランス重り６に支持されて中空部２ａ内に突設され、中空部２ａ内にて浮子本体２の上端から下端に亘って架設されている。
軸３は、合成樹脂や金属等の中空の管状部材で形成され、その長手方向に釣り糸挿通孔３ａが形成され、その上下端部にそれぞれ釣り糸挿通孔３ａの開口３ｂ、３ｃが形成されている。
【００１０】
軸３は、浮子本体２の上端と下端に設けた保持孔２ｂ、２ｃに差し込まれて保持され、糸挿通孔３ａの開口３ｂ、３ｃが、浮子本体２の上端と下端に覗いて形成されている。
仕掛けに浮子１を取り付けたときは、釣り糸Ｔが軸３の釣り糸挿通孔３ａを通って浮子本体２の上下方向に挿通される。
なお、軸３は途中で途切れ、中空部２ａ内に架設されていなくても中空部２ａ内に突出していればよい。
【００１１】
バランス重り６は、鉄、ステンレス、チタン合金、タングステン合金、鉛等の金属を用いており、浮子本体２を形成する材料より大きな比重を有している。
バランス重り６は、中空部２ａ内の下側に接着等で固定され、その上下方向に貫通する孔６ｃを有している。
また、バランス重り６はその中央から上方に向けて突出する支持突起６ａを有し、前記孔６ｃは支持突起６ａの中央を貫通して支持突起６ａの上端の当たり部６ｂに開口している。
軸３の下端側は、バランス重り６の孔６ｃに通され嵌合して支持されている。
【００１２】
浮子本体２の中空部２ａ内に上下方向に延びる軸３に重り７が回動可能に支持されている。
重り７は、鉄、ステンレス、チタン合金、タングステン合金、鉛等の金属など浮子本体２を形成する材料より大きな比重を有する材料を用いて側面視が板状で平面視がおおぎ状に形成され、そのおおぎ状の幅狭の一端側に孔７ａが設けられ軸３に対する支持端部を形成し、これに対する幅広の自由端側が幅狭の一端側に比べ重く形成されている。
【００１３】
重り７は、軸３が孔７ａに挿通されて軸３を中心に図２の矢印のように軸３の周囲を回動するように遊嵌されて取り付けられている。
重り７は、その下側がバランス重り６の支持突起６ａの上端に形成された水平面からなる当たり部６ａに当接して軸３に直行するように支持され、軸３を中心に軸３の周囲を安定して回転することができるようになっている。
また、重り７が回転するときはそのおおぎ状の幅広の他端側が一端側に比べ重く容易に回動するようになっており、幅広の他端側が浮子本体２の中空部２ａ内側に接触しないように設けられた間隙を維持しながら回転するようになっている。
【００１４】
この浮子１を使用するときは釣り糸挿通孔３ａに上下方向に釣り糸Ｔを挿通して浮子１を仕掛けに取り付ける。
この状態で浮子１は釣り糸Ｔに対し遊嵌された状態のため、仕掛けを水面Ｓに投入すると釣り糸挿通孔３ａを通って仕掛けが延びて水中に沈んでいく。
仕掛けを水面Ｓに投入すると釣り糸挿通孔３ａを通って仕掛けが延びて水中に沈み釣り糸Ｔや浮子１は  風や水の流れの影響があると傾いて流されていく。
【００１５】
図２、図３のように、実線で表した浮子１のように矢印Ａの方向の流れに対し、浮子１よりも仕掛け（釣り糸Ｔ）がその下流に流されてしまうため釣り糸Ｔの方向に浮子１の上下方向を合わせることで魚の当たりが取りやすくなる。
【００１６】
つまり、仕掛けの釣り糸Ｔを矢印Ａの方向の流れの上流側に引いて浮子１の上端側が矢印Ａの方向の流れの上流側に、浮子１の下端側が下流側になるように水面Ｓに対し傾けて釣り糸Ｔの長手方向に浮子１の上下方向、すなわち、釣り糸挿通孔３ａの長手方向を合わせることで浮子１は釣り糸Ｔの沈みの進行方向に対し抵抗が少ない状態の姿勢となるため魚が浮子１の抵抗を感じないで餌を食って釣り糸Ｔを引き込むため多くの当たりがでる。
【００１７】
そして、釣り人が仕掛けの釣り糸Ｔを引いて浮子１を図３の実線で表した状態に傾けると、この操作に従って重り７が軸３を中心に軸３の周囲を回動しておおぎ状の幅広の他端側（自由端側）が幅狭の一端側（軸３に対する支持端部側）よりも流れの上流側で浮子１の下側になるように傾いて位置される。
この状態で釣り人が仕掛けの釣り糸Ｔを引く操作を止めて釣り糸Ｔを緩めて浮子１を自然にして流すと浮子１は重り７によってバランスが維持されて浮子１の上端側が矢印Ａの方向の流れの上流側に、下端側が下流側になるように傾いた状態を維持して矢印Ａの方向に流れていく。
重り７によってバランスが維持された浮子１は、外力の影響に対し軸３を中心に重り７が揺動して安定して姿勢を維持する。
【００１８】
また、図２、図３の二点鎖線で表した浮子１のように矢印Ａとは逆の矢印Ｂの方向の流れに対し、浮子１を残し仕掛け（釣り糸Ｔ）がその下流に流されてしまうため、釣り糸Ｔを引く操作を行って、浮子１の上端側が矢印Ｂの方向の流れの上流側に、下端側が下流側になるように水面Ｓに対し傾けると、この浮子１の傾きにしたがって重り７が軸３を中心に軸３の周囲を回動して二点鎖線で表したようにおおぎ状の幅広の他端側が上流側の下側に位置され、この傾きを重り７によって維持しながら矢印Ｂの方向に流れていく。
【００１９】
このように仕掛けの釣り糸Ｔの傾きと浮子１の傾きを合致させることで、魚が浮子１の抵抗を感じないで餌を食って釣り糸Ｔを引き込むため多くの当たりを取ることができる。
また、浮子１を水に沈む水中浮子として形成した場合も同様に浮子１の傾きに連動して回動した重り７が浮子１の傾き姿勢を維持し、この姿勢のまま釣り糸Ｔの延長方向の傾きにしたがって沈んでいくため魚が浮子１の抵抗を感じないで餌を食って釣り糸Ｔを引き込むため多くの当たりを取ることができる。
【００２０】
なお、仕掛けは釣り人の好みで選択され、浮子１を釣り糸Ｔに固定したり、釣り糸Ｔの途中に釣り糸挿通孔３ａを通過できない大きさのストッパを設けると明確な当たりを取りやすくなるが、釣り糸Ｔが釣り糸挿通孔３ａを自由に通過できる仕掛けでも釣り糸挿通孔３ａを通過する釣り糸Ｔの抵抗で十分に浮子１が動いて当たりが取れる。
【産業上の利用可能性】
【００２１】
本願発明は、釣りに使用する浮子全般に利用できる。
【図面の簡単な説明】
【００２２】
【図１】浮子の縦断面図である。
【図２】浮子の横断面図である。
【図３】浮子の使用状態を示す縦断面図である。
【符号の説明】
【００２３】
１  浮子
２  浮子本体
３  軸
３ａ  釣り糸挿通孔
７  重り
【図１】
2009159866.tif 000003
【図２】
2009159866.tif 000004
【図３】
2009159866.tif 000005